(57)【要約】【課題】チューニング可能ＲＦチャネル選択フィルタ。【解決手段】コンピュータプログラムプロダクトを含む方法および装置が、ＲＦフィルタリング用に提供される。この装置は、差動信号を受信する第１の帯域通過フィルタであって、第１の中心周波数にチューニング可能な抵抗性−容量性構成のＮパスフィルタを備える第１の帯域通過フィルタと、第１の帯域通過フィルタの第１の出力を受信する第１のノッチフィルタであって、第１のノッチ中心周波数にチューニング可能な容量性−抵抗性構成のＮパスフィルタを備える第１のノッチフィルタと、第１のノッチフィルタの第２の出力を受信する第２の帯域通過フィルタであって、第１の中心周波数にチューニング可能な抵抗性−容量性構成のＮパスフィルタを備える第２の帯域通過フィルタと、第２の帯域通過フィルタの第３の出力を受信する第２のノッチフィルタであって、第２のノッチ中心周波数にチューニング可能な容量性−抵抗性構成のＮパスフィルタを備える第２のノッチフィルタと、第２のノッチフィルタの第４の出力を受信するとともに、フィルタリングされた装置の出力を供給する第３の帯域通過フィルタであって、第１の中心周波数にチューニング可能なＮパスフィルタの抵抗性−容量性構成を備える第３の帯域通過フィルタとを備える。【選択図】図１
2017506015.tif 000002
【特許請求の範囲】
【請求項１】
差動信号を受信する第１の帯域通過フィルタであって、第１の中心周波数にチューニング可能な抵抗性−容量性構成のＮパスフィルタを備える前記第１の帯域通過フィルタと、
前記第１の帯域通過フィルタの第１の出力を受信する第１のノッチフィルタであって、第１のノッチ中心周波数にチューニング可能な容量性−抵抗性構成のＮパスフィルタを備える前記第１のノッチフィルタと、
前記第１のノッチフィルタの第２の出力を受信する第２の帯域通過フィルタであって、前記第１の中心周波数にチューニング可能な抵抗性−容量性構成のＮパスフィルタを備える前記第２の帯域通過フィルタと、
前記第２の帯域通過フィルタの第３の出力を受信する第２のノッチフィルタであって、第２のノッチ中心周波数にチューニング可能な容量性−抵抗性構成のＮパスフィルタを備える前記第２のノッチフィルタと、
前記第２のノッチフィルタの第４の出力を受信するとともに、フィルタリングされた前記装置の出力を供給する第３の帯域通過フィルタであって、第１の中心周波数にチューニング可能なＮパスフィルタの抵抗性−容量性構成を備える第３の帯域通過フィルタと
を備える装置。
【請求項２】
前記第１のノッチ中心周波数は、前記第１の中心周波数の上下の少なくとも１つの周波数にオフセットされる請求項１に記載の装置。
【請求項３】
前記第２のノッチ中心周波数は、前記第１の中心周波数の上下の少なくとも１つの周波数にオフセットされる請求項１または２に記載の装置。
【請求項４】
前記第１のノッチフィルタは、前記第１のノッチフィルタにて周波数シフトを提供するように構成された第１のフィードフォワードトランスコンダクタンス増幅器および第２のフィードバックトランスコンダクタンス増幅器（first feedforward transconductance amplifier）をさらに含む請求項１〜３のいずれか１項に記載の装置。
【請求項５】
前記第２のノッチフィルタは、前記第２のノッチフィルタにて周波数シフトを提供するように構成された第１のフィードフォワードトランスコンダクタンス増幅器および第２のフィードバックトランスコンダクタンス増幅器（first feedforward transconductance amplifier）をさらに含む請求項１〜４のいずれか１項に記載の装置。
【請求項６】
前記第１の帯域通過フィルタに供給される前記第１の出力を増幅する第１のトランスコンダクタンス増幅器
をさらに備える請求項１〜５のいずれか１項に記載の装置。
【請求項７】
前記第１のノッチフィルタに供給される前記第２の出力を増幅する第２のトランスコンダクタンス増幅器
をさらに備える請求項１〜６のいずれか１項に記載の装置。
【請求項８】
前記第１の帯域通過フィルタに入力される前記差動信号を供給するために前記第１の帯域通過フィルタに連結される平衡不平衡変成器
をさらに備える請求項１〜７のいずれか１項に記載の装置。
【請求項９】
第１の帯域通過フィルタにおいて差動信号を受信するステップであって、第１の中心周波数にチューニング可能な抵抗性−容量性構成のＮパスフィルタを前記第１の帯域通過フィルタが備えるステップと、
第１のノッチフィルタにおいて第１の帯域通過フィルタの第１の出力を受信するステップであって、第１のノッチ中心周波数にチューニング可能な容量性−抵抗性構成のＮパスフィルタを前記第１のノッチフィルタが備えるステップと、
第２の帯域通過フィルタにおいて前記第１のノッチフィルタの第２の出力を受信するステップであって、前記第１の中心周波数にチューニング可能な抵抗性−容量性構成のＮパスフィルタを前記第２の帯域通過フィルタが備えるステップと、
第２のノッチフィルタにおいて前記第２の帯域通過フィルタの第３の出力を受信するステップであって、第２のノッチ中心周波数にチューニング可能な容量性−抵抗性構成のＮパスフィルタを前記第２のノッチフィルタが備えるステップと、
第３の帯域通過フィルタにおいて前記第２のノッチフィルタの第４の出力を受信するステップであって、前記第１の中心周波数にチューニング可能な抵抗性−容量性構成のＮパスフィルタを前記第３の帯域通過フィルタが備えるステップと、
フィルタリングされた出力を前記第３の帯域通過フィルタによって出力するステップと
を備える方法。
【請求項１０】
前記第１のノッチ中心周波数は、前記第１の中心周波数の上下の少なくとも１つの周波数にオフセットされる請求項９に記載の方法。
【請求項１１】
前記第２のノッチ中心周波数は、前記第１の中心周波数の上下の少なくとも１つの周波数にオフセットされる請求項９または１０に記載の方法。
【請求項１２】
前記第１のノッチフィルタは、前記第１のノッチフィルタにて周波数シフトを提供するように構成された第１のフィードフォワードトランスコンダクタンス増幅器および第２のフィードバックトランスコンダクタンス増幅器（first feedforward transconductance amplifier）をさらに含む請求項９〜１１のいずれか１項に記載の方法。
【請求項１３】
前記第２のノッチフィルタは、前記第２のノッチフィルタにて周波数シフトを提供するように構成された第１のフィードフォワードトランスコンダクタンス増幅器および第２のフィードバックトランスコンダクタンス増幅器（first feedforward transconductance amplifier）をさらに含む請求項９〜１２のいずれか１項に記載の方法。
【請求項１４】
前記第１の帯域通過フィルタに供給される前記第１の出力を第１のトランスコンダクタンス増幅器によって増幅するステップ
をさらに備える請求項９〜１３のいずれか１項に記載の方法。
【請求項１５】
前記第１のノッチフィルタによって供給される前記第２の出力を第２のトランスコンダクタンス増幅器によって増幅するステップ
をさらに備える請求項９〜１４のいずれか１項に記載の方法。
【請求項１６】
平衡不平衡変成器は、前記第１の帯域通過フィルタに対する差動信号を供給する請求項９〜１５のいずれか１項に記載の方法。
【請求項１７】
第１の帯域通過フィルタにおいて差動信号を受信するための手段であって、第１の中心周波数にチューニング可能な抵抗性−容量性構成のＮパスフィルタを前記第１の帯域通過フィルタが備える手段と、
第１のノッチフィルタにおいて前記第１の帯域通過フィルタの第１の出力を受信するための手段であって、第１のノッチ中心周波数にチューニング可能な容量性−抵抗性構成のＮパスフィルタを前記第１のノッチフィルタが備える手段と、
第２の帯域通過フィルタにおいて前記第１のノッチフィルタの第２の出力を受信するための手段であって、前記第１の中心周波数にチューニング可能な抵抗性−容量性構成のＮパスフィルタを前記第２の帯域通過フィルタが備える手段と、
第２のノッチフィルタにおいて前記第２の帯域通過フィルタの第３の出力を受信するための手段であって、第２のノッチ中心周波数にチューニング可能な容量性−抵抗性構成のＮパスフィルタを前記第２のノッチフィルタが備える手段と、
第３の帯域通過フィルタにおいて前記第２のノッチフィルタの第４の出力を受信するための手段であって、前記第１の中心周波数にチューニング可能な抵抗性−容量性構成のＮパスフィルタを前記第３の帯域通過フィルタが備える手段と、
前記第３の帯域通過フィルタによって、フィルタリングされた出力を出力する手段と
を備える装置。
【請求項１８】
少なくとも１つのプロセッサによって実行される際のコンピュータプログラムコードを含む非一時的なコンピュータ読み取り可能記録媒体であって、
第１の帯域通過フィルタにおいて差動信号を受信するステップであって、第１の中心周波数にチューニング可能な抵抗性−容量性構成のＮパスフィルタを前記第１の帯域通過フィルタが備えるステップと、
第１のノッチフィルタにおいて第１の帯域通過フィルタの第１の出力を受信するステップであって、第１のノッチ中心周波数にチューニング可能な容量性−抵抗性構成のＮパスフィルタを前記第１のノッチフィルタが備えるステップと、
第２の帯域通過フィルタにおいて前記第１のノッチフィルタの第２の出力を受信するステップであって、前記第１の中心周波数にチューニング可能な抵抗性−容量性構成のＮパスフィルタを前記第２の帯域通過フィルタが備えるステップと、
第２のノッチフィルタにおいて前記第２の帯域通過フィルタの第３の出力を受信するステップであって、第２のノッチ中心周波数にチューニング可能な容量性−抵抗性構成のＮパスフィルタを前記第２のノッチフィルタが備えるステップと、
第３の帯域通過フィルタにおいて前記第２のノッチフィルタの第４の出力を受信するステップであって、前記第１の中心周波数にチューニング可能な抵抗性−容量性構成のＮパスフィルタを前記第３の帯域通過フィルタが備えるステップと、
フィルタリングされた出力を前記第３の帯域通過フィルタによって出力するステップと
を備えるオペレーションを生じさせる前記コンピュータプログラムコードを含む非一時的なコンピュータ読み取り可能記録媒体。
【発明の詳細な説明】
【技術分野】
【０００１】
本明細書に記載の発明は、フィルタに関する。
【背景技術】
【０００２】
無線受信機は、大規模な帯域外干渉物（ブロッカー）を取り扱うことがあり、他の帯域内および帯域外の干渉物の存在下で所望の弱信号を回復することがある。そのため、受信機は、帯域内および帯域外の強い干渉物を十分に阻止しながら所望のチャネルを処理することが必要な場合がある。所望の信号付近のこれらの妨害信号が抑制されることが必要な場合がある。そのためには、帯域選択フィルタは、帯域外信号に対する減衰を提供してもよく、後続のベースバンド低域通過チャネルフィルタはチャネル選択を提供してもよい。現在利用可能ないくつかのフィルタは、チャネル選択を実行するのに必要な過度に高品質（高Ｑ）な要件のために、無線周波数（ＲＦ）レベルでのチャネル選択を提供することができない場合がある。さらに、いくつかの帯域選択フィルタは、複数の帯域にわたってチューニング可能ではない場合がある。
【発明の概要】
【０００３】
いくつかの例示的な実施形態において、装置が提供される。装置は、差動信号を受信する第１の帯域通過フィルタであって、第１の中心周波数にチューニング可能な抵抗性−容量性構成（resistive-capacitive configuration）のＮパスフィルタを備える第１の帯域通過フィルタと、第１の帯域通過フィルタの第１の出力を受信する第１のノッチフィルタであって、第１のノッチ中心周波数にチューニング可能な容量性−抵抗性構成（capacitive-resistive configuration ）のＮパスフィルタを備える第１のノッチフィルタと、第１のノッチフィルタの第２の出力を受信する第２の帯域通過フィルタであって、第１の中心周波数にチューニング可能な抵抗性−容量性構成のＮパスフィルタを備える第２の帯域通過フィルタと、第２の帯域通過フィルタの第３の出力を受信する第２のノッチフィルタであって、第２のノッチ中心周波数にチューニング可能な容量性−抵抗性構成のＮパスフィルタを備える第２のノッチフィルタと、および第２のノッチフィルタの第４の出力を受信するとともに、フィルタリングされた装置の出力を供給する第３の帯域通過フィルタであって、第１の中心周波数にチューニング可能な抵抗性−容量性構成のＮパスフィルタを備える第３の帯域通過フィルタとを含んでもよい。
【０００４】
いくつかの変形においては、以下の機能を含む、本明細書に開示の機能の１つ以上を、必要に応じてあらゆる実現可能な組み合わせに含めることができる。第１のノッチ中心周波数は、第１の中心周波数の上下の少なくとも１つの周波数にオフセットされてもよい。第２のノッチ中心周波数は、第１の中心周波数の上下の少なくとも１つの周波数にオフセットされてもよい。第１のノッチフィルタは、第１のノッチフィルタにて周波数シフトを提供するように構成された第１のフィードフォワードトランスコンダクタンス増幅器（first feedforward transconductance amplifier）および第２のフィードバックトランスコンダクタンス増幅器を含んでもよい。第２のノッチフィルタは、第２のノッチフィルタにて周波数シフトを提供するように構成された第１のフィードフォワードトランスコンダクタンス増幅器（first feedforward transconductance amplifier）および第２のフィードバックトランスコンダクタンス増幅器をさらに含んでもよい。第１のトランスコンダクタンス増幅器は、第１の帯域通過フィルタに供給される第１の出力を増幅してもよい。第２のトランスコンダクタンス増幅器は、第１のノッチフィルタによって供給される第２の出力を増幅してもよい。平衡不平衡変成器は、第１の帯域通過フィルタに入力される差動信号を供給するために、第１の帯域通過フィルタに連結されてもよい。
【０００５】
上記の態様および機能は、所望の構成に応じた、システム、装置、方法、および／または物に実装されてもよい。本明細書に記載の発明の主題の１つ以上の変形の詳細は、添付の図面および以下の明細書に明記される。本明細書に記載の発明の主題の機能および有利性は、明細書および図面、および特許請求の範囲から明らかになる。
【図面の簡単な説明】
【０００６】
【図１】図１は、いくつかの例示的な実施形態による、チューニング可能帯域通過フィルタの例を表す。
【図２Ａ】いくつかの例示的な実施形態による、チューニング可能帯域通過フィルタの例を表す。
【図２Ｂ】いくつかの例示的な実施形態による、チューニング可能帯域通過フィルタの例を表す。
【図３】いくつかの例示的な実施形態による、インバータとともに実装されたトランスコンダクタンス増幅器セルの例を表す。
【図４】いくつかの例示的な実施形態による、周波数シフトに対して用いられ得るトランスコンダクタンス増幅器セルの例を表す。
【図５】いくつかの例示的な実施形態による、負抵抗を供給するように構成された背面接続インバータ（back-to-back inverter）の例を表す。
【図６】いくつかの例示的な実施形態による、チューニング可能帯域通過フィルタのための周波数スペクトルプロットの例を表す。
【図７】いくつかの例示的な実施形態による、チューニング可能帯域通過フィルタのための周波数スペクトルプロットの例を表す。
【図８】いくつかの例示的な実施形態による、チューニング可能帯域通過フィルタのための周波数スペクトルプロットの例を表す。
【図９】いくつかの例示的な実施形態による、送受信機の例を表す。
【発明を実施するための形態】
【０００７】
図面内で同一または同様の項目を参照するために、同じラベルが用いられる。
【０００８】
図１は、いくつかの例示的な実施形態による、チューニング可能な帯域通過フィルタ１００のブロック図を表す。チューニング可能帯域通過フィルタ１００は、スプリッタ１０２と、チューニング可能帯域通過フィルタ１０４と、トランスコンダクタンス増幅器１０６と、チューニング可能ノッチフィルタ１０８と、第２のトランスコンダクタンス増幅器１１０と、チューニング可能帯域通過フィルタ１１２と、チューニング可能ノッチフィルタ１１４と、チューニング可能帯域通過フィルタ１１６とを含んでもよい。チューニング可能帯域通過フィルタ１００は、チャネル選択および／または帯域選択のために用いられてもよい。さらに、チューニング可能帯域通過フィルタ１００は、いくつかの例示的な実施形態において、高阻止帯域除去を有してもよい。さらに、他のフィルタ技術が同様に用いられてもよいが、チューニング可能帯域通過フィルタ１００は、いくつかの例示的な実施形態において、楕円フィルタ技術に基づいてもよい。
【０００９】
スプリッタ１０２は、いくつかの例示的な実施形態において、チューニング可能帯域通過フィルタ１００によってフィルタリングされるシングルエンド信号であってもよい入力信号（Ｖｉｎ）１０１を受信してもよい。スプリッタ１０２は、いくつかの例示的な実施形態において、差動出力信号１２０を出力してもよい。
【００１０】
いくつかの例示的な実施形態において、差動出力信号１２０は、Ｎパスフィルタを備えるチューニング可能帯域通過フィルタなどのチューニング可能帯域通過フィルタ１０４に対する差動入力信号として供給されてもよい。チューニング可能帯域通過Ｎパスフィルタ１０４の出力は、その後、トランスコンダクタンス増幅器１０６（ｇmセルにラベルづけされた）に供給されてもよい。トランスコンダクタンス増幅器１０６は、後段における騒音減少を容易にできる利得を供給してもよい。トランスコンダクタンス増幅器１０６の出力１４０は、出力信号１５０を供給するチューニング可能ノッチフィルタ１０８の入力に結合されてもよい。
【００１１】
例えば、ノッチフィルタ１０８（および以下に記載するノッチフィルタ１１４）の中心周波数は、帯域通過フィルタ１０４の中心周波数を２０ＭＨｚ下回っても（または上回っても）よい。周波数においてオフセットされるノッチフィルタは、阻止帯域除去を増加させることができる帯域通過フィルタ１０４、１１２、および１１６の中心周波数の近くのフィルタ１００の周波数レスポンスを敏感にしてもよい。複素インピーダンスは、２つの同一の実際のインピーダンス、例としてこの場合のキャパシタおよび２つのトランスコンダクタ、を用いることによって実現されてもよい。複素インピーダンスは、複素電流を受信して、複素応答電圧を生成してもよい。電位依存性の電流源は、虚数電圧を感知し、ノッチフィルタにて基底帯域複素インピーダンスの周波数シフト（Δｆ）を実現する、実際のポートに対する電流（その逆も同様）を注入してもよい。Ｇｍが正であるか負であるかによって、周波数シフトは、それぞれ負または正である。チューニング可能ノッチＮパスフィルタ２０４は、例えば図２Ａに示されるようにフィルタクロック周波数（ｆｃｌｋ（ここで、ｆｃｌｋ＝１／Ｔｃｌｋである））に対してこの周波数シフトされた複素インピーダンスを昇圧するために用いられてもよく、それによって、ノッチは、ｇｍセルの符号によって（ｆｃｌｋ＋Δｆ）または（ｆｃｌｋ−Δｆ）で生成される。そのため、ノッチフィルタ１０８および／または１１４は、（この例においてｆｃｌｋである）帯域通過フィルタ１０４、１１２、および１１６の中心周波数に対する周波数にオフセットされ、また、このオフセットは、さらに高Ｑのフィルタを効率的に提供する。先の例では帯域通過フィルタの中心周波数を２０ＭＨｚ下回るノッチフィルタのオフセット周波数を記載するが、他のオフセットが同様に実現されてもよい。
【００１２】
いくつかの例示的な実施形態において、（ｇｍセルにラベルづけされた）第２のトランスコンダクタンス増幅器１１０は、出力１５０を受信し、増幅出力１６０を供給してもよい。この第２のトランスコンダクタンス増幅器１１０は、ノッチフィルタ１０８の後に配置されてもよく、利得を供給する、および／または、後段における騒音減少を可能にするように機能してもよい。
【００１３】
いくつかの例示的な実施形態において、第２のチューニング可能帯域通過フィルタ１１２（Ｎパス帯域通過フィルタ）は、第２のトランスコンダクタンス増幅器１１０の出力１６０に結合されてもよい。Ｎパス帯域通過フィルタ１１２の出力１７０は、その後、Ｎパスノッチフィルタ１１４などのチューニング可能ノッチフィルタに対する入力として供給されてもよい。Ｎパスノッチフィルタ１１４は、帯域通過フィルタ１１２とは異なる中心周波数で構成されてもよい。例えば、Ｎパスノッチフィルタ１１４は、帯域通過フィルタ１１２の中心周波数の２０ＭＨｚを上回る中心周波数を有してもよい。ノッチ周波数は、フィードフォワードｇｍセル２９２Ａおよびフィードバックｇｍセル２９２Ｂ、およびＣ4を用いてシフトされてもよい。ｇｍセルの極性（出力および／または入力を例として）を変更することによって、ノッチフィルタ１１４の中心周波数は、右にシフトされてもよい。
【００１４】
いくつかの例示的な実施形態において、チューニング可能Ｎパスフィルタなどのチューニング可能帯域通過フィルタ１１６は、ノッチフィルタ１１４の出力１８０を受信し、フィルタリングされた出力Ｖｏｕｔ１９０を供給してもよい。
【００１５】
いくつかの例示的な実施形態において、個々の帯域通過フィルタ１０４、１１２、および１１６の中心周波数は、同様または同一であってもよい。また、帯域通過フィルタ１０４、１１２および１１６の中心周波数は、チューニング可能帯域通過フィルタ１００の中心周波数を定義してもよい。ノッチフィルタ１０８および１１４の中心周波数は、上述のように、帯域通過フィルタ１０４、１１２、および１１６とは異なる中心周波数で構成されてもよい。ノッチフィルタ１０８および１１４は、各々、フィルタのオフセット周波数におけるフィルタの伝達関数においてゼロを生成するように構成されてもよい。フィルタの帯域幅の外側のゼロを生成することによって、全極型フィルタと比較して、フィルタの阻止帯域除去（stopband rejection）を増加することができる。ノッチフィルタ１０８および１１４の（クロック周波数ｆｃｌｋに対する）オフセット周波数を選択することによって、全体的なフィルタ波形、帯域幅、および減衰を、クロック周波数ｆｃｌｋのあたりに制御することができる。先の例はノッチフィルタ１０４および１１４における同一の周波数オフセットを記載するが、各々のフィルタにおいて異なるオフセットが同様に用いられてもよい。また、２０ＭＨｚの値の例は、単なる例であり、他の値が同様に用いられてもよい。
【００１６】
いくつかの例示的な実施形態において、ノッチフィルタ１０８および１１４の中心周波数は、帯域通過フィルタ１０４、１１２、および１１６の中心周波数に関係なく独立的に選択されてもよい。所望の帯域幅および減衰の鋭敏さによって、ノッチフィルタ１０８および１１４のオフセット周波数を選択してもよい。
【００１７】
図２Ａ〜図２Ｂは、いくつかの例示的なインプリメンテーションによる、チューニング可能帯域通過フィルタ２００の実施態様例を表す。チューニング可能帯域通過フィルタ２００によってフィルタリングされた信号は、入力（Ｖin）として２９６Ａにて受信され、その後、差動出力信号２９６Ｂをもたらす、チューニング可能帯域通過フィルタ２００によってフィルタリングされてもよい。
【００１８】
チューニング可能帯域通過フィルタ２００は、スプリッタ２０１と、チューニング可能帯域通過フィルタ２０２と、トランスコンダクタンス増幅器２０３と、チューニング可能ノッチフィルタ２０４と、第２のトランスコンダクタンス増幅器２０５と、チューニング可能帯域通過フィルタ２０６と、チューニング可能ノッチフィルタ２０７と、チューニング可能帯域通過フィルタ２０８とを含んでもよい。チューニング可能帯域通過フィルタ２００は、１つ以上の周波数帯をチューニングしてもよく、および／または、チャネル選択に用いられてもよい。いくつかの例示的な実施形態において、他のフィルタ技術が同様に用いられてもよいが、チューニング可能帯域通過フィルタ２００は、楕円フィルタ技術に基づいてもよい。
【００１９】
いくつかの例示的な実施形態において、平衡不平衡変成器２０１は、入力信号１０１を差動電圧信号に分割してもよい。平衡不平衡変成器２０１の差動電圧出力信号は、いくつかの例示的な実施形態によれば、抵抗性−容量性（Ｒ−Ｃ）構成のＮパスフィルタなどのチューニング可能帯域通過フィルタ２０２に結合されてもよい。チューニング可能帯域通過フィルタ２０２出力は、トランスコンダクタンス増幅器２０３の差動入力に結合されてもよい。
【００２０】
いくつかの例示的な実施形態において、トランスコンダクタンス増幅器２０３は、フィルタ２００の差動のアーキテクチャを与えられた同一または同様のタイプの２つのトランスコンダクタンス（ｇm）セルとして実装されてもよい。
【００２１】
図３は、図３に示されるような自己バイアスインバータとともに実装されたトランスコンダクタンス増幅器セル２０３のインプリメンテーション例を表す。下限閾値電圧デバイスは、（雑音指数を減少させることができる）低寄生容量を供給するために入力トランジスタ、Ｍ1およびＭ2に対して用いられてもよい。フィードバック抵抗器（Ｒ）は、ＶDD／２として、出力電圧レベル（Ｖｏｕｔ）を保持してもよい。いくつかの例示的な実施形態において、複数の同一のトランスコンダクタンス（ｇm）増幅器（identical transconductance (gm) amplifier）セル３００は、利得および／または雑音指数低減を提供するために、トランスコンダクタンス増幅器２０３を実装するために用いられてもよい。
【００２２】
再び図２を参照すると、トランスコンダクタンス増幅器２０３の差動出力は、容量性−抵抗性（Ｃ−Ｒ）構成のＮパスフィルタとして実装されてもよいチューニング可能ノッチフィルタ２０４に供給されてもよい。
【００２３】
いくつかの例示的な実施形態において、ノッチフィルタ２０４の共振（または中央）周波数は、（ｇm2およびｇm3にラベルづけされた）２つのトランスコンダクタンス（ｇm）セル２２０Ａ〜２２０Ｂを用いることによってシフトされてもよい。ｇmセル２２０Ａ〜２２０Ｂは、ｇmセル３００と比較して、異なるように実装されてもよい。トランスコンダクタｇm5の差動入力電圧は、キャパシタＣ４の直角位相部分に電流出力を供給してもよい。同様に、ｇm6の入力電圧は、キャパシタＣ４の直角位相部分に対して電流出力を供給してもよい。これは、ノッチの周波数シフトを効率的にもたらすことができる。
【００２４】
図４は、チューニング可能ノッチフィルタ２０４に対する周波数シフトを供給するために各々のｇmセル２２０Ａ〜２２０Ｂ（ｇm2およびｇm3）にて用いられてもよいｇmセル４００の例を表す。ｇmセル２２０Ａ〜２２０Ｂによって供給される周波数シフトは、次式
【数１】
2017506015.tif 000003
によって決定されてもよい。ここで、
【数２】
2017506015.tif 000004
は、Ｃ2とトランジスタスイッチの寄生容量との組み合わせである。セルｇm2、ｇm3（２２０Ａ〜２２０Ｂ）およびＣ2の値を調整することによって、中心周波数は、フィードフォワードｇｍセル２２０Ａおよびフィードバックｇｍセル２２０Ｂによりノッチフィルタ２０４のＮパスのインプリメンテーションでシフトされる（例えばフィルタの中心周波数を２０ＭＨｚ下回る）。
【００２５】
ノッチフィルタ２０４による損失を補償し、且つ後段からの雑音を低減するために、別のトランスコンダクタンス増幅器（ｇmセル）２０５がノッチフィルタ２０４の出力に結合されてもよい。トランスコンダクタンス増幅器２０５は、（さらに以下に記載される）トランスコンダクタンス増幅器３００と同一または同様の方式で実装されてもよい。
【００２６】
次の帯域通過フィルタ２０６は、いくつかの例示的な実施形態において、Ｒ−Ｃ構成２０６におけるチューニング可能Ｎパスフィルタによって実装されてもよい。負性抵抗（Ｒneg1）は、図５に示されるような背面接続インバータ５００例のために実装されてもよい。負性抵抗（Ｒneg1）は、他の値が同様に用いられてもよいが、例えば１．２ボルトの公称値をもつ個別の電源電圧を有してもよい。フィルタの各ノードにおける寄生容量は、周波数に依存するそのノードの同等の抵抗を改善する。クロック周波数が減少するにつれて、フィルタ２００のＱ係数は、低クロック周波数用のフィルタ２００の通過帯域における高リップルに結びついて増加する。そのため、負性抵抗の電源電圧は、これらのリップルを減少させるために低クロック周波数に対して減少されてもよい。
【００２７】
第２のチューニング可能ノッチフィルタ２０７は、いくつかの例示的な実施形態において、図２Ｂにて示されるようなＣ−Ｒ構成に構成されたＮパスフィルタとして実装されてもよい。ノッチフィルタ２０７の中心周波数は、（ｇm5およびｇm6にラベルづけされた）ｇｍセル２９２Ａ〜２９２Ｂの接続（例として、入力および出力）を変更することによって、帯域通過フィルタ２０２、２０６、および２０８の中心周波数を例えば２０ＭＨｚ上回るようにシフトされてもよい。周波数シフトは、次式
【数３】
2017506015.tif 000005
によって決定されてもよい。ここで、
【数４】
2017506015.tif 000006
は、
【数５】
2017506015.tif 000007
とトランジスタスイッチの寄生容量との組み合わせである。本明細書における他の例だけでなく先の例も特定のオフセットを参照するが、他のオフセット値が同様に用いられてもよい。
【００２８】
いくつかの例示的な実施形態において、チューニング可能帯域通過フィルタ２０８は、Ｒ−Ｃ構成におけるＮパスフィルタを用いて実装されてもよい。２つのバッファ２９４Ａ〜２９４Ｂがフィルタ２００の差動出力２９６Ｂにて供給されてもよい。
【００２９】
図６は、チューニング可能フィルタ２００のための周波数（ギガヘルツ（ＧＨｚ））対振幅（デシベル（ｄＢ））のプロット例を表す。図７は、図６の拡大バージョンを表す。見てとれるように、チューニング可能フィルタ２００は、帯域および／またはチャネル選択フィルタを提供してもよい。また、通過帯域リップルは、いくつかの実装例において、相対的に小さくてもよい（例えば約０．４ｄＢ未満）。パッシブフィルタとは異なり、チューニング可能フィルタ２００は、図６および図７に示されるような利得（例えば１５．５ｄＢ）を供給してもよい。いくつかのインプリメンテーション例において、他の結果が同様に得られてもよいが、チューニング可能フィルタ１００または２００は、図６に示されるような、２０ＭＨｚのオフセットにおいて約４４ｄＢの除去を有し、且つ中心周波数からの４５ＭＨｚのオフセットにおいて少なくとも５２．５４ｄＢの除去を有してもよい。
【００３０】
図８は、０．２ＧＨｚから２ＧＨｚに対してフィルタ２００の同調性を表す。図８に示されるような広周波数帯上の阻止帯域除去を実質的に維持しながら、チューニングは、スペクトラムにわたって通過帯域を移動させる。フィルタは、４相クロックの周波数を変更することによって調整されてもよい。４相クロックは、図２Ａ内の底部に示される。阻止帯域除去は、８次全極バターワースフィルタと比較した場合、さらに高くてもよい。高阻止帯域除去は、フィルタ１００／２００の帯域幅の外側に生成されたノッチの一部のためであるかもしれない。ノッチも独立的に調整されてもよい。
【００３１】
いくつかの例示的な実施形態において、本明細書に開示のチューニング可能フィルタ１００／２００は、受信機および／または送信機などにおいてＲＦ送受信機に一体化されてもよい。この場合、フィルタ１００／２００が帯域チューニングおよび／またはチャネル選択のために用いられてもよいので、フィルタ１００／２００は、いくつかの帯域に特有の嵩張っていてコストのかかるＳＡＷフィルタの排除と、例えばセルラ送受信機からの固定帯域／チャネル選択フィルタの排除とを可能にしてもよい。また、フィルタ１００／２００はトラッキングフィルタであってもよく、そのため、フィルタ１００／２００は、セルラ送受信機において利用されてもよい可変の帯域幅による再構成可能な多周波帯の無線通信の一部として用いられてもよい。
【００３２】
図９は、いくつかの例示的な実施形態による、装置１０のブロック図を図示する。例えば、装置１０は、ユーザ装置、スマートフォン、移動局、モバイル装置、加入者局装置、無線ターミナル、タブレット、ワイヤレスプラグインアクセサリ、無線アクセスポイント、基地局、および／または送受信機を有する装置を伴う他の装置などの無線通信を備えてもよい。
【００３３】
装置１０は、送信機１４および受信機１６と通信する少なくとも１つのアンテナ１２を含んでもよい。代替的に、送信アンテナと受信アンテナとが分離されてもよい。
【００３４】
いくつかの例示的な実施形態において、本明細書に開示のチューニング可能フィルタ１００／２００は、送信機１４および／または受信機１６におけるＲＦ帯域選択および／またはチャネル選択のために用いられてもよい。また、プロセッサ２０は、いくつかの例示的な実施形態によれば、チューニング可能フィルタ１００／２００のチューニングを制御するためにメモリ内に格納されたコードを実行してもよい。
【００３５】
装置１０は、また、送信機および受信機に信号をそれぞれ供給し、送信機および受信機からの信号をそれぞれ受信し、装置の機能を制御するように構成されたプロセッサ２０を含んでもよい。プロセッサ２０は、導線を介して送信機および受信機に対する制御信号伝達を達成することによって、送信機および受信機の機能を制御するように構成されてもよい。同様に、プロセッサ２０は、ディスプレイまたはメモリなどの他の構成要素にプロセッサ２０を接続する導線を介して制御信号伝達を達成することによって、装置１０の他の構成要素を制御するように構成されてもよい。プロセッサ２０は、例えば、回路、少なくとも１つの処理コア、付随のデジタル信号プロセッサを伴う１つ以上のマイクロプロセッサ、付随のデジタル信号プロセッサを伴わない１つ以上のプロセッサ、１つ以上のコプロセッサ、１つ以上のマルチコアプロセッサ、１つ以上の制御装置、処理回路、１つ以上のコンピュータ、集積回路（例えば、特定用途向け集積回路（ＡＳＩＣ：application specific integrated circuit）、フィールドプログラマブルゲートアレイ（ＦＰＧＡ：field programmable gate array）、および／またはその他同様のもの）を含む様々な他の処理要素、またはそのいくつかの組み合わせを含む様々な方法で具体化されてもよい。したがって、図９では単一のプロセッサとして図示されるが、いくつかの例示的な実施形態において、プロセッサ２０は、複数のプロセッサまたは複数の処理コアを備えてもよい。
【００３６】
プロセッサ２０によって送信され受信される信号は、適用可能なセルラシステムのエアインタフェース標準、および／または、Ｗｉ−Ｆｉを備えるが但し限定はされない任意の数の異なるワイヤ線または無線ネットワーキング技術、電気電子技術者協会（ＩＥＥＥ）８０２．１１、８０２．１６などのワイヤレスローカルアクセスネットワーク（ＷＬＡＮ：wireless local access network）技術、および／またはその他同種のものによる信号情報を含んでもよい。さらに、これらの信号は、会話データ、ユーザ生成データ、ユーザ要求データ、および／またはその他同種のものを含んでもよい。
【００３７】
装置１０は、１つ以上のエアインタフェース標準、通信プロトコル、変調タイプ、アクセスタイプ、および／またはその他同種のものによって動作することができてもよい。例えば、装置１０および／またはその中のセルラモデムは、様々な第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、インターネットプロトコルマルチメディアサブシステム（ＩＭＳ）通信プロトコル（例えばセッション設定プロトコル（ＳＩＰ：session initiation protocol））および／またはその他同種のものによって動作することができてもよい。例えば、装置１０は、２Ｇワイヤレス通信プロトコルＩＳ−１３６、時分割多重接続方式（ＴＤＭＡ：Time Division Multiple Access）、グローバル移動体通信システム（ＧＳＭ（登録商標）：Global System for Mobile communications）ＩＳ−９５、符号分割多重アクセス方式（ＣＤＭＡ：Code Division Multiple Access）、および／またはその他同種のものによって動作することができてもよい。さらに、例えば、装置１０は、２．５Ｇワイヤレス通信プロトコル汎用パケット無線システム（ＧＰＲＳ：General Packet Radio Service）、強化データＧＳＭ（登録商標）環境（ＥＤＧＥ：Enhanced Data GSM（登録商標） Environment）、および／またはその他同種のものによって動作することができてもよい。さらに、例えば、装置１０は、ユニバーサルモバイルテレコミュニケーションシステム（ＵＭＴＳ：Universal Mobile Telecommunications System）、符号分割多重アクセス方式２０００（ＣＤＭＡ２０００）、広帯域符号分割多元接続（ＷＣＤＭＡ：Wideband Code Division Multiple Access）、時分割同期符号分離多元接続（ＴＤ−ＳＣＤＭＡ：Time Division-Synchronous Code Division Multiple Access）、および／またはその他同種のものなどの３Ｇワイヤレス通信プロトコルによって動作することができてもよい。装置１０は、ロングタームエボリューション（ＬＴＥ：Long Term Evolution）、発展型ユニバーサル陸上無線アクセスネットワーク（Ｅ−ＵＴＲＡＮ：Evolved Universal Terrestrial Radio Access Network）、および／またはその他同種のものなどの３．９Ｇワイヤレス通信プロトコルによって付加的に動作することができてもよい。付加的に、例えば、装置１０は、その後に開発されうる同様のワイヤレス通信プロトコルだけでなく、ＬＴＥ-Ａｄｖａｎｃｅｄおよび／またはその他同種のものなどの４Ｇワイヤレス通信プロトコルによっても動作することができてもよい。
【００３８】
プロセッサ２０が装置１０のオーディオ／ビデオおよび論理機能を実装するための回路を含んでもよいことが理解される。例えば、プロセッサ２０は、デジタル信号プロセッサ装置、マイクロプロセッサ装置、アナログ・デジタル変換器、ディジタル・アナログ変換器、および／またはその他同種のものを備えてもよい。装置１０の制御および信号処理機能は、それぞれの性能に応じて、これらの装置間で割り当てられてもよい。プロセッサ２０は、内部音声符号器（ＶＣ）２０ａ、内部データモデム（ＤＭ）２０ｂ、および／またはその他同種のものを付加的に備えてもよい。さらに、プロセッサ２０は、メモリ内に格納されてもよい１つ以上のソフトウエアプログラムを動作させる機能を含んでもよい。概して、プロセッサ２０および格納されるソフトウェア命令は、装置１０にアクションを実行させるように構成されてもよい。例えば、プロセッサ２０は、ウェブブラウザなどの接続プログラムを動作させることができてもよい。接続プログラムは、ワイアレスアプリケーションプロトコル（ＷＡＰ：wireless application protocol）、ハイパーテキスト転送プロトコル（ＨＴＴＰ：hypertext transfer protocol）、および／またはその他同種のものなどのプロトコルにしたがって、装置１０が位置に基づくコンテンツなどのウェブコンテンツを送受信することを可能にしてもよい。
【００３９】
装置１０は、また、プロセッサ２０に操作的に結合され得る、例えば、イヤホンまたはスピーカ２４、リンガ２２、マイクロホン２６、ディスプレイ２８、ユーザ入力インタフェース、および／またはその他同種のものを含むユーザインタフェースを備えてもよい。ディスプレイ２８は、上述のように、ユーザが選択をするためにタッチおよび／またはジェスチャーをし、値を入力し、および／またはその他同種のものを行ってもよい、タッチセンサ式ディスプレイを含んでもよい。プロセッサ２０は、また、スピーカ２４、リンガ２２、マイクロホン２６、ディスプレイ２８、および／またはその他同種のものなどのユーザインタフェースの１つ以上の構成要素の少なくともいくつかの機能を制御するように構成されたユーザインタフェース回路を含んでもよい。プロセッサ２０および／またはプロセッサ２０を備えるユーザインタフェース回路は、例えば、揮発性メモリ４０、不揮発性メモリ４２、および／またはその他同種のものなどのプロセッサ２０にアクセス可能なメモリ上に格納される、例えばソフトウェアおよび／またはファームウェアなどのコンピュータプログラム命令を通じてユーザインタフェースの１つ以上の構成要素の１つ以上の機能を制御するように構成されてもよい。装置１０は、例えば、検出可能な出力として機械的振動を供給する回路などのモバイル端末に関する様々な回路に電力を供給するためのバッテリを含んでもよい。ユーザ入力インタフェースは、ディスプレイ２８上に提示されるバーチャルキーボードまたは外部に結合されるキーボードになり得るキーパッド３０、および／または他の入力装置などの装置２０がデータを受信することを可能にする装置を備えてもよい。
【００４０】
図９に示されるように、装置１０は、また、データを共有および／または取得するための１つ以上のメカニズムを含んでもよい。例えば、装置１０は、短距離無線周波数（ＲＦ）送受信機および／または質問器６４を含んでもよく、そのため、データは、ＲＦ技術によって電子装置と共有および／または電子装置から取得されてもよい。装置１０は、赤外線（ＩＲ）送受信機６６、Ｂｌｕｅｔｏｏｔｈ（登録商標）ワイヤレス技術を用いて動作するＢｌｕｅｔｏｏｔｈ（登録商標）（ＢＴ）送受信機６８、ワイヤレスユニバーサルシリアルバス（ＵＳＢ）送受信機７０、Ｂｌｕｅｔｏｏｔｈ（登録商標）低エネルギー送受信機、ＺｉｇＢｅｅ送受信機、ＡＮＴ送受信機、セルラ装置間送受信機、ワイヤレスローカルエリアリンク送受信機、および／または他の短距離無線技術などの他の短距離送受信機を含んでもよい。装置１０および特に短距離送受信機は、例えば１０メートル以内など、装置の近接範囲内の電子装置にデータを送信することができてもよいし、および／または該電子装置からデータを受信することができてもよい。ＷｉＦｉまたはワイヤレスローカルエリアネットワークモデムを含む装置１０は、また、６ＬｏＷｐａｎ、Ｗｉ−Ｆｉ、Ｗｉ−Ｆｉ低消費電力、（ＩＥＥＥ８０２．１１技術、ＩＥＥＥ８０２．１５技術、ＩＥＥＥ  ８０２．１６技術などのＷＬＡＮ技術、および／またはその他同種のものを含む様々な無線ネットワーキング技術に応じて電子装置にデータを送信するおよび／または該電子装置からデータを受信することが可能であってもよい。
【００４１】
装置１０は、モバイル加入者に関する情報要素を格納してもよい、加入者識別モジュール（ＳＩＭ：Subscriber identity module）３８、リムーバブル加入者情報モジュール（Ｒ−ＵＩＭ：Removable user identity module）、ｅＵＩＣＣ、ＵＩＣＣ、および／またはその他同種のものなどのメモリを備えてもよい。ＳＩＭに加えて、装置１０は、他のリムーバブルメモリおよび／または固定メモリを含んでもよい。装置１０は、揮発性メモリ４０および／または不揮発性メモリ４２を含んでもよい。例えば、揮発性メモリ４０は、ダイナミックＲＡＭおよび／またはスタティックＲＡＭを含むランダムアクセスメモリ（ＲＡＭ）、オンチップキャッシュメモリまたはオフチップキャッシュメモリ、および／またはその他同種のものを含んでもよい。組み込まれてもよく、および／またはリムーバブルであってもよい不揮発性メモリ４２は、例えば、読み取り専用メモリ、フラッシュメモリ、例えばハードディスク、フロッピー（登録商標）ディスクドライブ、磁気テープなどの磁気記憶装置、光ディスクドライブおよび／または光ディスク媒体、不揮発性ＲＡＭ（ＮＶＲＡＭ）、および／またはその他同種のものを含んでもよい。揮発性メモリ４０と同様に、不揮発性メモリ４２は、データの一時記憶のためのキャッシュエリアを含んでもよい。揮発性およびメモリ／または不揮発性メモリの少なくとも一部は、プロセッサ２０内に埋め込まれてもよい。メモリは、チューニング可能フィルタ１００／２００を提供および／または制御することを含む装置によって機能を実行するために用いられ得る、１つ以上のソフトウエアプログラム、命令、情報、データ、および／またはその他同種のものを格納してもよい。メモリは、装置１０を一意的に識別することができる国際移動体装置識別（ＩＭＥＩ）コードなどの識別子を備えてもよい。各機能は、チューニング可能フィルタ１００／２００および同種のものを提供および／または制御することによる本明細書に開示のオペレーションの１つ以上を含んでもよい。メモリは、装置１０を一意的に識別することができる国際移動体装置識別（ＩＭＥＩ）コードなどの識別子を備えてもよい。例示的な実施形態において、プロセッサ２０は、（例えば、チューニング可能フィルタ１００／２００の１つ以上の態様を提供する、および／またはフィルタ１００／２００のチューニングを制御する）チューニング可能フィルタ１００／２００に関する本明細書に開示のオペレーションに対してメモリ４０および／または４２に格納されたコンピュータコードを用いて構成されてもよい。
【００４２】
本明細書に開示の実施形態のいくつかは、ソフトウェア、ハードウェア、アプリケーションロジック、またはソフトウェアとハードウェアとアプリケーションロジックとの組み合わせにて実装されてもよい。ソフトウェア、アプリケーションロジック、および／またはハードウェアは、例えば、メモリ４０、制御装置２０、または電子部品上に常駐してもよい。いくつかの例示的な実施形態において、アプリケーションロジック、ソフトウェア、または命令セットは、従来の様々なコンピュータ読み取り可能な媒体のいずれか１つに保持される。このドキュメントとの関連で、「コンピュータ読み取り可能媒体」は、図９に表された例では、コンピュータまたはデータ処理装置回路などの命令実行システム、装置、またはデバイスによって、またはそれらに関連して、使用のための命令を収納、格納、通信、または伝播もしくは搬送することができるあらゆる非一時的な媒体であってもよく、コンピュータ読み取り可能媒体は、コンピュータなどの命令実行システム、装置、またはデバイスによって、またはそれらに関連して、使用のための命令を収納または格納することができるあらゆる媒体であってもよい非一時的なコンピュータ読み取り可能記録媒体を備えてもよい。例えば、コンピュータ読み取り可能媒体は、本明細書に開示のチューニング可能帯域通過フィルタのチューニングの制御を提供するプロセッサ回路によって実行される際のコンピュータプログラムコードを含んでもよい。
【００４３】
いかなる場合においても以下に表す特許請求の範囲の限定、解釈、または適用を行なうものではないが、本明細書に開示の例示的な実施形態の１つ以上の技術的効果は、セルラ無線に用いられ得るトラッキングフィルタである。
【００４４】
必要に応じて、本明細書にて論じられた異なる機能は、互いに異なる順序で、および／または同時に実行されてもよい。さらに、必要に応じて、上記機能の１つ以上は、オプションであってもよいし、または組み合わされてもよい。本発明の様々な態様は、独立請求項に記載されるが、本発明の他の態様は、単に特許請求の範囲において明示的に記載された組み合わせではなく、独立請求項の機能を有する、記載された実施形態および／または従属請求項からの機能の他の組み合わせを備える。また、本明細書において、上記のものが例示的な実施形態を記載しているが、これらの記載が限定的な意味に見なされるべきでない。むしろ、添付の特許請求の範囲において定義されるような本発明の範囲から逸脱せずに行なわれてもよいいくつかの変形および変更がある。他の実施形態は、以下の特許請求の範囲内とすることができる。用語「〜に基づいて（based on）」は、「〜に少なくとも基づいて（based on at least）」を含む。フレーズ「〜などの（such as）」の使用は、別段の定めがない限り、「例えば〜などの（such as for example）」を意味する。
【図１】
2017506015.tif 000008
【図２Ａ】
2017506015.tif 000009
【図２Ｂ】
2017506015.tif 000010
【図３】
2017506015.tif 000011
【図４】
2017506015.tif 000012
【図５】
2017506015.tif 000013
【図９】
2017506015.tif 000014
【図６】
2017506015.tif 000015
【図７】
2017506015.tif 000016
【図８】
2017506015.tif 000017
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
差動信号を受信する第１の帯域通過フィルタであって、該第１の帯域通過フィルタは第１の中心周波数にチューニング可能なＮパスフィルタの抵抗性−容量性構成を備える、第１の帯域通過フィルタと、
前記第１の帯域通過フィルタの第１の出力を受信する第１のノッチ・フィルタであって、該第１のノッチ・フィルタは第１のノッチ中心周波数にチューニング可能なＮパスフィルタの容量性−抵抗性構成を備える、第１のノッチ・フィルタと、
前記第１のノッチ・フィルタの第２の出力を受信する第２の帯域通過フィルタであって、該第２の帯域通過フィルタは、前記第１の中心周波数にチューニング可能なＮパスフィルタの抵抗性−容量性構成を備える、第２の帯域通過フィルタと、
前記第２の帯域通過フィルタの第３の出力を受信する第２のノッチ・フィルタであって、該第２のノッチ・フィルタは、第２のノッチ中心周波数にチューニング可能なＮパスフィルタの容量性−抵抗性構成を備える、第２のノッチ・フィルタと、
前記第２のノッチ・フィルタの第４の出力を受信し、装置のフィルタ処理された出力を供給する第３の帯域通過フィルタであって、前記第１の中心周波数にチューニング可能なＮパスフィルタの抵抗性−容量性構成を備える、第３の帯域通過フィルタと、
を備える装置。
【請求項２】
前記第１のノッチ中心周波数は、前記第１の中心周波数の上下の少なくとも１つの周波数にオフセットされる、請求項１に記載の装置。
【請求項３】
前記第２のノッチ中心周波数は、前記第１の中心周波数の上下の少なくとも１つの周波数にオフセットされる、請求項１または２に記載の装置。
【請求項４】
前記第１のノッチ・フィルタは、前記第１のノッチ・フィルタにて周波数シフトを提供するように構成された第１のフィードフォワード・トランスコンダクタンス増幅器および第２のフィードバック・トランスコンダクタンス増幅器をさらに含む、請求項１ないし３のいずれか１項に記載の装置。
【請求項５】
前記第２のノッチ・フィルタは、前記第２のノッチ・フィルタにて周波数シフトを提供するように構成された第１のフィードフォワード・トランスコンダクタンス増幅器および第２のフィードバック・トランスコンダクタンス増幅器をさらに含む、請求項１ないし４のいずれか１項に記載の装置。
【請求項６】
前記第１の帯域通過フィルタに供給される前記第１の出力を増幅する第１のトランスコンダクタンス増幅器をさらに備える請求項１ないし５のいずれか１項に記載の装置。
【請求項７】
前記第１のノッチ・フィルタに供給される前記第２の出力を増幅する第２のトランスコンダクタンス増幅器をさらに備える請求項１ないし６のいずれか１項に記載の装置。
【請求項８】
前記第１の帯域通過フィルタへの前記差動信号の入力を供給するために前記第１の帯域通過フィルタに連結される平衡不平衡変成器をさらに備える請求項１ないし７のいずれか１項に記載の装置。
【請求項９】
第１の帯域通過フィルタにおいて差動信号を受信するステップであって、該第１の帯域通過フィルタは、第１の中心周波数にチューニング可能なＮパスフィルタの抵抗性−容量性構成を備える、差動信号を受信するステップと、
第１のノッチ・フィルタにおいて前記第１の帯域通過フィルタの第１の出力を受信するステップであって、該第１のノッチ・フィルタは、第１のノッチ中心周波数にチューニング可能なＮパスフィルタの容量性−抵抗性構成を備える、第１の出力を受信するステップと、
第２の帯域通過フィルタにおいて前記第１のノッチ・フィルタの第２の出力を受信するステップであって、該第２の帯域通過フィルタは、前記第１の中心周波数にチューニング可能なＮパスフィルタの抵抗性−容量性構成を備える、第２の出力を受信するステップと、
第２のノッチ・フィルタにおいて前記第２の帯域通過フィルタの第３の出力を受信するステップであって、該第２のノッチ・フィルタは、第２のノッチ中心周波数にチューニング可能なＮパスフィルタの容量性−抵抗性構成を備える、第３の出力を受信するステップと、
第３の帯域通過フィルタにおいて前記第２のノッチ・フィルタの第４の出力を受信するステップであって、該第３の帯域通過フィルタは、前記第１の中心周波数にチューニング可能なＮパスフィルタの抵抗性−容量性構成を備える、第４の出力を受信するステップと、
フィルタ処理された出力を前記第３の帯域通過フィルタによって出力するステップと、
を含む方法。
【請求項１０】
前記第１のノッチ中心周波数は、前記第１の中心周波数の上下の少なくとも１つの周波数にオフセットされる、請求項９に記載の方法。
【請求項１１】
前記第２のノッチ中心周波数は、前記第１の中心周波数の上下の少なくとも１つの周波数にオフセットされる、請求項９または１０に記載の方法。
【請求項１２】
前記第１のノッチ・フィルタは、前記第１のノッチ中心周波数の周波数シフトを提供するように構成された第１のフィードフォワード・トランスコンダクタンス増幅器および第２のフィードバック・トランスコンダクタンス増幅器をさらに含む、請求項９ないし１１のいずれか１項に記載の方法。
【請求項１３】
前記第２のノッチ・フィルタは、前記第２のノッチ中心周波数の周波数シフトを提供するように構成された第１のフィードフォワード・トランスコンダクタンス増幅器および第２のフィードバック・トランスコンダクタンス増幅器をさらに含む、請求項９ないし１２のいずれか１項に記載の方法。
【請求項１４】
前記第１の帯域通過フィルタに供給される前記第１の出力を第１のトランスコンダクタンス増幅器によって増幅するステップをさらに含む請求項９ないし１３のいずれか１項に記載の方法。
【請求項１５】
前記第１のノッチ・フィルタによって供給される前記第２の出力を第２のトランスコンダクタンス増幅器によって増幅するステップをさらに含む請求項９ないし１４のいずれか１項に記載の方法。
【請求項１６】
平衡不平衡変成器が、前記第１の帯域通過フィルタに差動信号を供給する、請求項９ないし１５のいずれか１項に記載の方法。
【請求項１７】
第１の帯域通過フィルタにおいて差動信号を受信するための手段であって、該第１の帯域通過フィルタが、第１の中心周波数にチューニング可能なＮパスフィルタの抵抗性−容量性構成を備える、手段と、
第１のノッチ・フィルタにおいて前記第１の帯域通過フィルタの第１の出力を受信するための手段であって、該第１のノッチ・フィルタは、第１のノッチ中心周波数にチューニング可能なＮパスフィルタの容量性−抵抗性構成を備える、手段と、
第２の帯域通過フィルタにおいて前記第１のノッチ・フィルタの第２の出力を受信するための手段であって、該第２の帯域通過フィルタは、前記第１の中心周波数にチューニング可能なＮパスフィルタの抵抗性−容量性構成を備える、手段と、
第２のノッチ・フィルタにおいて前記第２の帯域通過フィルタの第３の出力を受信するための手段であって、該第２のノッチ・フィルタは、第２のノッチ中心周波数にチューニング可能なＮパスフィルタの容量性−抵抗性構成を備える、手段と、
第３の帯域通過フィルタにおいて前記第２のノッチ・フィルタの第４の出力を受信するための手段であって、該第３の帯域通過フィルタは、前記第１の中心周波数にチューニング可能なＮパスフィルタの抵抗性−容量性構成を備える、手段と、
フィルタ処理された出力を前記第３の帯域通過フィルタによって出力する手段と、
を備える装置。
【請求項１８】
少なくとも１つのプロセッサによって実行されるときに、
第１の帯域通過フィルタにおいて差動信号を受信するステップであって、該第１の帯域通過フィルタは、第１の中心周波数にチューニング可能なＮパスフィルタの抵抗性−容量性構成を備える、差動信号を受信するステップと、
第１のノッチ・フィルタにおいて前記第１の帯域通過フィルタの第１の出力を受信するステップであって、該第１のノッチ・フィルタは、第１のノッチ中心周波数にチューニング可能なＮパスフィルタの容量性−抵抗性構成を備える、第１の出力を受信するステップと、
第２の帯域通過フィルタにおいて前記第１のノッチ・フィルタの第２の出力を受信するステップであって、該第２の帯域通過フィルタは、前記第１の中心周波数にチューニング可能なＮパスフィルタの抵抗性−容量性構成を備える、第２の出力を受信するステップと、
第２のノッチ・フィルタにおいて前記第２の帯域通過フィルタの第３の出力を受信するステップであって、該第２のノッチ・フィルタは、第２のノッチ中心周波数にチューニング可能なＮパスフィルタの容量性−抵抗性構成を備える、ステップと、
第３の帯域通過フィルタにおいて前記第２のノッチ・フィルタの第４の出力を受信するステップであって、該第３の帯域通過フィルタは、前記第１の中心周波数にチューニング可能なＮパスフィルタの抵抗性−容量性構成を備える、第４の出力を受信するステップと、
フィルタ処理された出力を前記第３の帯域通過フィルタによって出力するステップと、を含む動作をさせるコンピュータ・プログラム・コードを含むコンピュータ・プログラム。
【国際調査報告】
2017506015.tif 000018
2017506015.tif 000019
2017506015.tif 000020
2017506015.tif 000021